(57)【要約】【課題】本発明は、複数のノズルを有するノズル体のノズル体長手方向を突極の突極長手方向とは非平行の関係として突極にマグネットワイヤを巻付けることにより、各マグネットワイヤ間を接合して巻線効率を向上させることを目的とする。【解決手段】本発明による分割固定子片への巻線方法及び装置は、各ノズル(2)が直列に配列されてなるノズル体(1)のノズル体長手方向(B)を分割固定子片(4)の突極(5)の突極長手方向(A)と非平行の状態に維持し、かつ、前記ノズル体(1)を突極長手方向(A)に沿って移動させる方法と構成である。【選択図】図１
2007244056.tif 000002
【特許請求の範囲】
【請求項１】
輪状固定子の一部をなす分割固定子片(4)を回転させ、巻線機のニードルの複数のノズル(2)から供給される複数本のマグネットワイヤ(3)を前記分割固定子片(4)の突極(5)に巻付けるようにした分割固定子片(4)への巻線方法において、
前記各ノズル(2)が直列に配列されてなるノズル体(1)のノズル体長手方向(B)を前記分割固定子片(4)の前記突極(5)の突極長手方向(A)と非平行の状態に維持し、かつ、前記ノズル体(1)を前記突極長手方向(A)に沿って移動させることを特徴とする分割固定子片への巻線方法。
【請求項２】
前記分割固定子片(4)は、全体形状がＴ字型をなし、前記ノズル体(1)は前記突極(5)の側部(5b)の近傍に位置していることを特徴とする請求項１記載の分割固定子片への巻線方法。
【請求項３】
前記ノズル体(1)のノズル(2)の数は、少なくとも３個よりなり、前記マグネットワイヤ(3)は少なくとも３本が並列にかつ同時に前記突極(5)に巻付けられることを特徴とする請求項１又は２記載の分割固定子片への巻線方法。
【請求項４】
輪状固定子の一部をなす分割固定子片(4)を回転させ、巻線機のニードルの複数のノズル(2)から供給される複数本のマグネットワイヤ(3)を前記分割固定子片(4)の突極(5)に巻付けるようにした分割固定子片(4)への巻線装置において、
前記各ノズル(2)が直列に配列されてなるノズル体(1)のノズル体長手方向(B)を前記分割固定子片(4)の前記突極(5)の突極長手方向(A)と非平行の状態に維持し、かつ、前記ノズル体(1)を前記突極長手方向(A)に沿って移動させるようにしたことを特徴とする分割固定子片への巻線装置。
【請求項５】
前記分割固定子片(4)は、全体形状がＴ字型をなし、前記ノズル体(1)は前記突極(5)の側部(5b)の近傍に位置していることを特徴とする請求項４記載の分割固定子片への巻線装置。
【請求項６】
前記ノズル体(1)のノズル(2)の数は、少なくとも３個よりなり、前記マグネットワイヤ(3)は少なくとも３本が並列にかつ同時に前記突極(5)に巻付けられることを特徴とする請求項４又は５記載の分割固定子片への巻線装置。
【発明の詳細な説明】
【技術分野】
【０００１】
本発明は、分割固定子片への巻線方法及び装置に関し、特に、複数のノズルを有するノズル体のノズル体長手方向を突極の突極長手方向とは非平行の関係として突極にマグネットワイヤを巻付けることにより、各マグネットワイヤ間を接合して巻線効率を向上させるための新規な改良に関する。
【背景技術】
【０００２】
従来、用いられていた分割固定子片に対する巻線機によるマグネットワイヤの巻付けは、特に、社内で行っていたため、特には示していないが、図４に示されるように巻線機（図示せず）のニードルに設けられたノズル体１の各ノズル２を介して送られる各マグネットワイヤ３を、分割固定子片４の中央に突出して設けられた直線状の突極５の周面５ａに巻付けている。
【０００３】
尚、前述の分割固定子片４の突極５の周面５ａに、マグネットワイヤ３を巻付ける場合、前記ノズル体１の各ノズル２を貫通した各マグネットワイヤ３の先端に固定し、図４の状態において前記分割固定子片４をその中心軸６を中心として矢印Ｂ方向に回転させると、各ノズル２を経由した各マグネットワイヤ３は前記周面５ａに巻付けられる。
この場合、前記分割固定子片４の回転に合わせて、前記ノズル体１を突極長手方向Ａに沿って往復移動させることにより、マグネットワイヤ３は前記周面５ａ上に積層される。
【発明の開示】
【発明が解決しようとする課題】
【０００４】
従来の分割固定子片に対する巻線方法は、以上のように構成されていたため、次のような課題が存在していた。
すなわち、図４の巻線方法においては、各マグネットワイヤ３を案内するためのノズル体１の各ノズル２が配列された方向を示すノズル体長手方向Ｂが突極５の突極長手方向Ａと平行に配設されているため、ノズル体１の各ノズル２間に隙間が形成され、これにより突極５に巻付けられる各マグネットワイヤ３間にも隙間が形成されていた。
そのため、この隙間により、突極５の周面５ａに巻付けられるマグネットワイヤ３の巻線効率が低下し、モータ又は回転検出器等の磁気効率を向上させることが困難であった。
【課題を解決するための手段】
【０００５】
本発明による分割固定子片への巻線方法及び装置は、輪状固定子の一部をなす分割固定子片を回転させ、巻線機のニードルの複数のノズルから供給される複数本のマグネットワイヤを前記分割固定子片の突極に巻付けるようにした分割固定子片への巻線方法において前記各ノズルが直列に配列されてなるノズル体のノズル体長手方向を前記分割固定子片の前記突極の突極長手方向と非平行の状態に維持し、かつ、前記ノズル体を前記突極長手方向に沿って移動させる方法であり、また、前記分割固定子片は、全体形状がＴ字型をなし、前記ノズル体は前記突極の側部の近傍に位置している方法であり、また、前記ノズル体のノズルの数は、少なくとも３個よりなり、前記マグネットワイヤは少なくとも３本が並列にかつ同時に前記突極に巻付けられる方法であり、また、本発明による分割固定子片への巻線装置は、輪状固定子の一部をなす分割固定子片を回転させ、巻線機のニードルの複数のノズルから供給される複数本のマグネットワイヤを前記分割固定子片の突極に巻付けるようにした分割固定子片への巻線装置において、前記各ノズルが直列に配列されてなるノズル体のノズル体長手方向を前記分割固定子片の前記突極の突極長手方向と非平行の状態に維持し、かつ、前記ノズル体を前記突極長手方向に沿って移動させるようにした構成であり、また、前記分割固定子片は、全体形状がＴ字型をなし、前記ノズル体は前記突極の側部の近傍に位置している構成であり、また、前記ノズル体のノズルの数は、少なくとも３個よりなり、前記マグネットワイヤは少なくとも３本が並列にかつ同時に前記突極に巻付けられる構成である。
【発明の効果】
【０００６】
本発明による分割固定子片への巻線方法及び装置は、以上のように構成されているため、次のような効果を得ることができる。
すなわち、ノズル体のノズル体長手方向を突極の突極長手方向と非平行に配設しているため、ノズル体が突極長手方向に対して傾斜し、各マグネットワイヤが互いに接合した状態で突極に巻付けられ、巻線効率が向上し、モータ及び回転検出器等の磁気効率を向上させることができる。
【発明を実施するための最良の形態】
【０００７】
本発明は、複数のノズルを有するノズル体のノズル体長手方向を突極の突極長手方向とは非平行の関係として突極にマグネットワイヤを巻付けることにより、各マグネットワイヤ間を接合して巻線効率を向上させるようにした分割固定子片への巻線方法及び装置を提供することを目的とする。
【実施例】
【０００８】
以下、図面と共に本発明による分割固定子片への巻線方法及び装置の好適な実施の形態について説明する。
尚、従来例と同一又は同等部分には同一符号を用いて説明する。
図１において符号１で示されるものは巻線機（図示せず）の先端に設けられ複数のノズル２を有するノズル体であり、このノズル体１の各ノズル２は前記ノズル体１の長手方向であるノズル体長手方向Ｂに沿って直列状となるように配設されている。
【０００９】
前記各ノズル２を貫通して案内された各マグネットワイヤ３は、分割固定子片４の突極５の周面５ａに巻付けられるように構成されている。
前記ノズル体１のノズル体長手方向Ｂは、前記突極５の突極長手方向Ａとは非平行となるように配設され、前記突極長手方向Ａに対して前記ノズル体１が傾斜した状態で配設されている。
【００１０】
次に、前述の図２の構成において、各マグネットワイヤ３の先端を前記突極５の周面５ａに固定し、前記ノズル体１を、図２のように、突極５の側部５ｂの近傍位置、すなわち、隣接する分割固定子片４との間に形成されるスロット１０内に位置している。
【００１１】
前述の図２の構成において、前記分割固定子片４をその中心軸６を軸として矢印Ｂの方向に回転させると、このノズル体１の各ノズル２を経由した各マグネットワイヤ３は並列な状態でかつ同時に前記周面５ａに巻付けられる。
【００１２】
前述の巻線状態において、前記ノズル体１を傾斜させたままの状態で突極長手方向Ａに沿って往復移動（図示しないカム等を用いた周知の往復駆動機構による）させることにより、各マグネットワイヤ３は、各マグネットワイヤ３間に隙間を有することなく、緻密な状態で互いに接合して突極５に巻付けられ、高い巻線効率を得ることができる。
【００１３】
前述の構成により各分割固定子片４の突極５にマグネットワイヤ３を巻付けた後、各分割固定子片４を輪状に接合して、各マグネットワイヤ３の端末処理を行うことにより、周知の輪状固定子（図示せず）を構成することができる。
【図面の簡単な説明】
【００１４】
【図１】本発明による分割固定子片への巻線方法を示す構成図である。
【図２】図１の分割固定子片に対して実際に巻線を行う状態を示す構成図である。
【図３】図１の要部の拡大構成図である。
【図４】従来の巻線方法を示す構成図である。
【符号の説明】
【００１５】
１    ノズル体
２    ノズル
３    マグネットワイヤ
４    分割固定子片
５    突極
５ａ    周面
５ｂ    側部
Ａ    突極長手方向
Ｂ    ノズル体長手方向
【図１】
2007244056.tif 000003
【図２】
2007244056.tif 000004
【図３】
2007244056.tif 000005
【図４】
2007244056.tif 000006